(57)【要約】    【課題】子機から伝送路を経由して親機に符号化伝送される映像信号にノイズ等の符号誤りが発生した場合において、検出された符号誤りの訂正が不可能な場合におけるモニタへの出画を、画像の崩れがない良好な画質で確保して視認性を高める。    【解決手段】第１の子機１ａから伝送路Ｌ1を経由して第１の親機２ａに符号化伝送される映像信号にノイズ等の符号誤りが発生した場合において、検出された符号誤りの訂正が不可能な場合におけるモニタ２０４への出画を、符号誤りの検出前にモニタに出画させていたフレームの映像信号の再表示、又は所定の映像の表示に切り替える。  【選択図】図１
2008011063.tif 000002
【特許請求の範囲】
【請求項１】
カメラ（１０４）を有する子機（１ａ）と、前記子機に伝送路（Ｌ1）を経由して接続され、前記子機のカメラにて撮像された映像信号を出画するためのモニタ（２０４）を有する親機（２ａ）とを設け、
前記子機は、前記伝送路を経由して前記親機に伝送される前記映像信号に混入されるノイズ等の符号誤りを検出して訂正するための符号を付与するエラー訂正符号化回路（１０７）を備え、
前記親機は、前記伝送路を経由して前記子機から伝送されてくる前記映像信号に混入されるノイズ等の符号誤りを検出し、前記符号誤りの訂正が不可能な場合に、前記検出前に前記モニタに出画させていたフレームの映像信号を再表示するためのエラー訂正復号化回路（２０８）を備えたことを特徴とするインターホン装置。
【請求項２】
カメラ（１０４）を有する子機（１ａ）と、前記子機に伝送路（Ｌ1）を経由して接続され、前記子機のカメラにて撮像された映像信号を出画するためのモニタ（２０４）を有する親機（２ａ）とを設け、
前記子機は、前記伝送路を経由して前記親機に伝送される前記映像信号に混入されるノイズ等の符号誤りを検出して訂正するための符号を付与するエラー訂正符号化回路（１０７）を備え、
前記親機は、前記伝送路を経由して前記子機から伝送されてくる前記映像信号に混入されるノイズ等の符号誤りを検出し、前記符号誤りの訂正が不可能な場合に、前記モニタへの出画を所定の映像の表示に切り替えるためのエラー訂正復号化回路（２０８）を備えたことを特徴とするインターホン装置。
【請求項３】
カメラ（１０４）を有する子機（１ｂ）と、前記子機に伝送路（Ｌ1）を経由して接続され、前記子機のカメラにて撮像された映像信号を出画するためのモニタ（２０４）を有する親機（２ｂ）とを設け、
前記子機は、前記伝送路を経由して前記親機に伝送される前記映像信号に混入されるノイズ等の符号誤りを検出するためのエラー検出符号化回路（１１０）を備え、
前記親機は、前記伝送路を経由して前記子機から伝送されてくる前記映像信号に混入されるノイズ等の符号誤りを検出し、前記符号誤りを検出した場合に、前記検出前に前記モニタに出画させていたフレームの映像信号を再表示するためのエラー検出復号化回路（２１１）を備えたことを特徴とするインターホン装置。
【請求項４】
カメラ（１０４）を有する子機（１ｂ）と、前記子機に伝送路（Ｌ1）を経由して接続され、前記子機のカメラにて撮像された映像信号を出画するためのモニタ（２０４）を有する親機（２ｂ）とを設け、
前記子機は、前記伝送路を経由して前記親機に伝送される前記映像信号に混入されるノイズ等の符号誤りを検出するためのエラー検出符号化回路（１１０）を備え、
前記親機は、前記伝送路を経由して前記子機から伝送されてくる前記映像信号に混入されるノイズ等の符号誤りを検出し、前記符号誤りを検出した場合に、前記モニタへの出画を所定の映像の表示に切り替えるためのエラー検出復号化回路（２１１）を備えたことを特徴とするインターホン装置。
【発明の詳細な説明】
【技術分野】
【０００１】
本発明はインターホン装置に係り、特に、子機から伝送路を経由して親機に符号化伝送される映像信号にノイズ等の符号誤りが発生した場合におけるモニタへの出画を制御する機能を備えたインターホン装置に関する。
【背景技術】
【０００２】
従来から、例えば、送信側のカメラにて撮像された動画像等の映像信号を、受信側のモニタに出画させるにあたり、送信側にて符号化を行う一方、受信側では復号化を行う技術が知られている。この技術を有する装置としては、変換符号化を用いて符号化したデータについて、変換係数の性質に適しており時間的な相関をも考慮でき、符号化された画像データを復号するときに読み出した画像データの誤りを修正可能な動画像変換符号化誤り修正装置が開示されている（例えば、特許文献１を参照。）
【特許文献１】特開平５−１６１１２８号公報（段落番号「００２０」乃至「０１１３」、第１図乃至第１９図）
【発明の開示】
【発明が解決しようとする課題】
【０００３】
背景技術に記載した特許文献１の動画像変換符号化誤り修正装置によれば、符号化器と復号器とを接続する伝送路の線路上で発生したエラーによる画面の崩れが最小限となるようなエラー訂正を行っている。しかしながら、復号器においてエラー符号の誤りが訂正できなかった場合に表示フレームの先頭でエラーが発生すると、エラー位置以降の映像が大きく崩れたままで表示されてしまい、視認性が低下する難点があった。
【０００４】
本発明は、この難点を解消するためになされたもので、子機から伝送路を経由して親機に符号化伝送される映像信号にノイズ等の符号誤りが発生した場合において、符号誤りの訂正が不可能な場合又は符号誤りを検出した場合におけるモニタへの出画を、画像の崩れがない良好な画質で確保して視認性を高めたインターホン装置を提供することを目的としている。
【課題を解決するための手段】
【０００５】
前述の目的を達成するため、本発明の第１の態様であるインターホン装置は、カメラを有する子機と、子機に伝送路を経由して接続され、子機のカメラにて撮像された映像信号を出画するためのモニタを有する親機とを設けたものである。子機は、伝送路を経由して親機に伝送される映像信号に混入されるノイズ等の符号誤りを検出して訂正するための符号を付与するエラー訂正符号化回路を備えたものである。親機は、伝送路を経由して子機から伝送されてくる映像信号に混入されるノイズ等の符号誤りを検出し、符号誤りの訂正が不可能な場合に、検出前にモニタに出画させていたフレームの映像信号を再表示するためのエラー訂正復号化回路を備えたものである。
【０００６】
また、本発明の第２の態様であるインターホン装置は、カメラを有する子機と、子機に伝送路を経由して接続され、子機のカメラにて撮像された映像信号を出画するためのモニタを有する親機とを設けたものである。子機は、伝送路を経由して親機に伝送される映像信号に混入されるノイズ等の符号誤りを検出して訂正するための符号を付与するエラー訂正符号化回路を備えたものである。親機は、伝送路を経由して子機から伝送されてくる映像信号に混入されるノイズ等の符号誤りを検出し、符号誤りの訂正が不可能な場合に、モニタへの出画を所定の映像の表示に切り替えるためのエラー訂正復号化回路を備えたものである。
ものである。
【０００７】
また、本発明の第３の態様であるインターホン装置は、カメラを有する子機と、子機に伝送路を経由して接続され、子機のカメラにて撮像された映像信号を出画するためのモニタを有する親機とを設けたものである。子機は、伝送路を経由して親機に伝送される映像信号に混入されるノイズ等の符号誤りを検出するためのエラー検出符号化回路を備えたものである。親機は、伝送路を経由して子機から伝送されてくる映像信号に混入されるノイズ等の符号誤りを検出し、符号誤りを検出した場合に、検出前にモニタに出画させていたフレームの映像信号を再表示するためのエラー検出復号化回路を備えたものである。
【０００８】
また、本発明の第４の態様であるインターホン装置は、カメラを有する子機と、子機に伝送路を経由して接続され、子機のカメラにて撮像された映像信号を出画するためのモニタを有する親機とを設けたものである。子機は、伝送路を経由して親機に伝送される映像信号に混入されるノイズ等の符号誤りを検出するためのエラー検出符号化回路を備えたものである。親機は、伝送路を経由して子機から伝送されてくる映像信号に混入されるノイズ等の符号誤りを検出し、符号誤りを検出した場合に、モニタへの出画を所定の映像の表示に切り替えるためのエラー検出復号化回路を備えたものである。
【発明の効果】
【０００９】
本発明のインターホン装置によれば、子機から伝送路を経由して親機に符号化伝送される映像信号にノイズ等の符号誤りが発生した場合において、検出された符号誤りの訂正が不可能な場合又は符号誤りを検出した場合におけるモニタへの出画を、符号誤りの検出前にモニタに出画させていたフレームの映像信号の再表示、又は所定の映像の表示のように切り替えることにより、画像の崩れがない良好な画質で確保して視認性を高めることができる。
【発明を実施するための最良の形態】
【００１０】
以下、本発明のインターホン装置を適用した最良の実施の形態例について、図面を参照して説明する。
【００１１】
図１は、本発明の第１の実施例によるインターホン装置の具体的な構成を示すブロック図である。このインターホン装置には、住戸外、例えば、住戸玄関に設置された子機（以下、第１の子機という。）１ａと、住戸内に設置された親機（以下、第１の親機という。）２ａとが設けられており、第１の子機１ａ及び第１の親機２ａの間は、伝送路Ｌ1を経由して接続されている。
【００１２】
また、第１の子機１ａには、呼出ボタン１００、マイク（以下、子機マイクという。）１０１、スピーカ（以下、子機スピーカという。）１０２、音声コーデック（以下、子機音声コーデックという。）１０３、カメラ１０４、映像エンコーダ１０５、フレーム組立／分解回路（以下、子機フレーム組立／分解回路という。）１０６、エラー訂正符号化回路１０７、送受信回路（以下、子機送受信回路という。）１０８、及びＣＰＵ（以下、子機ＣＰＵという。）１０９が備えられている。
【００１３】
この第１の子機１ａにおいて、呼出ボタン１００は、住戸玄関に居る人物、例えば、来訪者が、住戸内に在室中の居住者を呼び出すために操作するものである。
【００１４】
子機マイク１０１及び子機スピーカ１０２は、呼出操作を行った来訪者が居住者との間で通話を成立させるための通話音声（送話音声）を入出力するものであり、子機音声コーデック１０３は、子機マイク１０１に入力された通話音声（送話音声）のアナログ音声信号をアナログ／デジタル変換して子機フレーム組立／分解回路１０６に送出するとともに、子機フレーム組立／分解回路１０６を経由して伝送されてくる子機スピーカ１０２から出力させる通話音声（受話音声）のデジタル音声信号をデジタル／アナログ変換するためのものである。なお、子機マイク１０１は、前述の通話機能のみならず、例えば、住戸外（住戸玄関）の様子を監視するための周囲環境音を集音することができる。
【００１５】
カメラ１０４は、呼出操作を行った来訪者の映像や住戸外（住戸玄関）の周囲近傍の映像（監視映像）を撮像するためのものであり、映像エンコーダ１０５は、カメラ１０４にて撮像された映像のアナログ映像信号をアナログ／デジタル変換して、子機フレーム組立／分解回路１０６に送出するためのものである。なお、カメラ１０４としては、ＣＣＤ、ＣＭＯＳ等の各種の撮像素子が好適とされる。
【００１６】
子機フレーム組立／分解回路１０６は、呼出ボタン１００の操作を検出した子機ＣＰＵ１０９にて生成される呼出信号、子機音声コーデック１０３を経由してアナログ／デジタル変換されたデジタル音声信号、映像エンコーダ１０５を経由してアナログ／デジタル変換されたデジタル映像信号をそれぞれ、伝送路Ｌ1の線路上を伝送させる所定のフレームとなるように構成してエラー訂正符号化回路１０７に送出するとともに、子機送受信回路１０８を経由して伝送されてくる所定のフレーム構成の後述する応答信号、終話信号及びデジタル音声信号をそれぞれ分離して、応答信号、終話信号は子機ＣＰＵ１０９に、デジタル音声信号は子機音声コーデック１０３に送出するためのものである。
【００１７】
エラー訂正符号化回路１０７は、伝送路Ｌ1を経由して第１の親機２ａに伝送されるデジタル映像信号に混入されるノイズ等の符号誤りを検出して訂正するための符号を付与するものであり、子機送受信回路１０８は、エラー訂正符号化回路１０７から伝送路Ｌ1への信号伝送ライン、伝送路Ｌ1から子機フレーム組立／分解回路１０６への信号伝送ラインをそれぞれ形成するためのものである。
【００１８】
子機ＣＰＵ１０９は、呼出ボタン１００の操作を検出して、カメラ１０４、映像エンコーダ１０５がそれぞれ能動（動作開始）となるように制御するとともに、第１の親機２ａから伝送されてくる応答信号を受信して、子機音声コーデック１０３が能動（動作開始）となるように制御し、さらには、第１の親機２ａから伝送されてくる終話信号を受信して、子機音声コーデック１０３、カメラ１０４及び映像エンコーダ１０５がそれぞれ非能動（動作停止）となるように制御するためのものである。
【００１９】
さらに、第１の親機２ａには、マイク（以下、親機マイクという。）２００、スピーカ（以下、親機スピーカという。）２０１、音声コーデック（以下、親機音声コーデックという。）２０２、通話ボタン２０３、モニタ２０４、メモリ２０５、映像デコーダ２０６、フレーム組立／分解回路（以下、親機フレーム組立／分解回路という。）２０７、エラー訂正復号化回路２０８、送受信回路（以下、親機送受信回路という。）２０９、及びＣＰＵ（以下、親機ＣＰＵという。）２１０が備えられている。
【００２０】
この第１の親機２ａにおいて、親機マイク２００及び親機スピーカ２０１は、後述する応答操作を行った居住者が来訪者との間で通話を成立させるための通話音声（送話音声）を入出力するものであり、親機音声コーデック２０２は、親機マイク２００に入力された通話音声（送話音声）のアナログ音声信号をアナログ／デジタル変換して親機フレーム組立／分解回路２０７に送出するとともに、親機フレーム組立／分解回路２０７を経由して伝送されてくる親機スピーカ２０１から出力させる通話音声（受話音声）のデジタル音声信号をデジタル／アナログ変換するためのものである。なお、親機スピーカ２０１は、前述の通話機能のみならず、例えば、来訪者による第１の子機１ａからの呼び出しがある旨の内容を、所定のパターンの呼出音や音声メッセージ等を放音させて呼出報知することができる。
【００２１】
通話ボタン２０３は、親機マイク２００及び親機スピーカ２０１を使用した通話を成立させる、又は成立されていた通話を終了させるにあたり、居住者が応答操作又は終話操作を行うためのものである。
【００２２】
モニタ２０４は、第１の子機１ａのカメラ１０４にて撮像された映像の出画、又は所定の映像の表示を行うためのものであり、メモリ２０５は、親機フレーム組立／分解回路２０７を経由して伝送されてくるデジタル映像信号を記憶、例えば、圧縮して記憶するとともに、モニタ２０４に表示させる所定の映像が予め保存されているものである。また、映像デコーダ２０６は、メモリ２０５から読み出されたデジタル映像信号又は所定の映像をデジタル／アナログ変換して、第１の子機１ａのカメラ１０４にて撮像された映像又は所定の映像をモニタ２０４に出画させるためのものである。なお、モニタ２０４としては、例えば、ＬＣＤ、有機ＥＬディスプレイ等の各種のディスプレイが好適とされ、メモリ２０５としては、ＲＡＭ、ＥＥＰＲＯＭ等の各種の記憶素子（記憶媒体）が好適とされる。
【００２３】
親機フレーム組立／分解回路２０７は、親機音声コーデック２０２を経由してアナログ／デジタル変換されたデジタル音声信号、通話ボタン２０３の応答操作又は終話操作を検出した親機ＣＰＵ２１０にて生成される応答信号又は終話信号をそれぞれ、伝送路Ｌ1の線路上を伝送させる所定のフレームとなるように構成して親機送受信回路２０９に送出するとともに、親機送受信回路２０９を経由して伝送されてくる所定のフレーム構成の呼出信号、デジタル映像信号及びデジタル音声信号をそれぞれ分離して、呼出信号は親機ＣＰＵ２１０に、デジタル映像信号はメモリ２０５に、デジタル音声信号は親機音声コーデック２０２に送出するためのものである。
【００２４】
エラー訂正復号化回路２０８は、伝送路Ｌ1を経由して第１の子機１ａから伝送されてくるデジタル映像信号に混入されるノイズ等の符号誤りを検出して、検出された符号誤りの訂正が可能な場合には、その符号誤りを訂正する一方、訂正が不可能な場合には、その旨の信号を生成して親機ＣＰＵ２１０に送出するためのものであり、親機送受信回路２０９は、親機フレーム組立／分解回路２０７から伝送路Ｌ1への信号伝送ライン、伝送路Ｌ1からエラー訂正復号化回路２０８への信号伝送ラインをそれぞれ形成するためのものである。
【００２５】
親機ＣＰＵ２１０は、第１の子機１ａからの呼出信号を受信して、モニタ２０４、映像デコーダ２０６がそれぞれ能動（動作開始）となるように制御するとともに、通話ボタン２０３の応答操作を検出して、親機音声コーデック２０２が能動（動作開始）となるように制御し、さらには、通話ボタン２０３の終話操作を検出して、親機音声コーデック２０２、モニタ２０４及び映像デコーダ２０６がそれぞれ非能動（動作停止）となるように制御するためのものである。また、親機ＣＰＵ２１０は、エラー訂正復号化回路２０８からの出力信号を検出して、モニタ２０４への出画を所定の画像に切り替えるための制御を、メモリ２０５又は映像デコーダ２０６に対して行うものである。
【００２６】
このように構成された本発明の第１の実施例によるインターホン装置において、以下、具体的な動作について説明する。
【００２７】
図１において、住戸玄関に居る人物、例えば、来訪者が、住戸内に在室中の居住者を呼び出すにあたり、第１の子機１ａの呼出ボタン１００を操作すると、この呼出操作を検出した子機ＣＰＵ１０９にて呼出信号Ｓ1が生成されるとともに、カメラ１０４、映像エンコーダ１０５がそれぞれ能動となるように制御される。また、カメラ１０４にて撮像された来訪者の映像や住戸玄関の周囲近傍の映像（監視映像）は、映像エンコーダ１０５を経由してデジタル映像信号Ｓ2にアナログ／デジタル変換された後、子機フレーム組立／分解回路１０６に送出される。
【００２８】
第１の子機１ａの子機フレーム組立／分解回路１０６は、子機ＣＰＵ１０９からの呼出信号Ｓ1、映像エンコーダ１０５からのデジタル映像信号Ｓ2をそれぞれ、伝送路Ｌ1の線路上を伝送させる所定のフレームに組み立てて上り信号（以下、呼出時上り信号という。）Ｓ3を生成する。この呼出時上り信号Ｓ3は、エラー訂正符号化回路１０７を経由して呼出時上り符号化信号Ｓ4に符号化された後、子機送受信回路１０８、伝送路Ｌ1、第１の親機２ａの親機送受信回路２０９を経由してエラー訂正復号化回路２０８に伝送される。また、エラー訂正復号化回路２０８は、受信した呼出時上り符号化信号Ｓ4を呼出時上り信号Ｓ3に復号化した後、親機フレーム組立／分解回路２０７に送出する。
【００２９】
第１の親機２ａの親機フレーム組立／分解回路２０７は、エラー訂正復号化回路２０８を経由して復号化された所定のフレームに組み立てられている呼出時上り信号Ｓ3を、呼出信号Ｓ1とデジタル映像信号Ｓ2とにそれぞれ分離して、呼出信号Ｓ1は親機ＣＰＵ２１０に、デジタル映像信号Ｓ2はメモリ２０５に送出する。
【００３０】
なお、前述までの説明では、第１の子機１ａの子機ＣＰＵ１０９にて生成された呼出信号Ｓ1と、映像エンコーダ１０５を経由してアナログ／デジタル変換されたデジタル映像信号Ｓ2とを、伝送路Ｌ1の線路上を伝送させる所定のフレームに組み立てるにあたり、同一の上り信号である呼出時上り信号Ｓ3を子機フレーム組立／分解回路１０６にて生成したが、この態様に限定されるものではない。例えば、呼出信号Ｓ1、デジタル映像信号Ｓ2の信号毎に伝送路Ｌ1の線路上を伝送させる所定のフレームに組み立てて上り信号を生成することができる。
【００３１】
第１の親機２ａの親機ＣＰＵ２１０は、親機フレーム組立／分解回路２０７を経由して分離された呼出信号Ｓ1をもとに、来訪者による第１の子機１ａからの呼び出しがあることを検出して、所定のパターンの呼出音や音声メッセージ等を親機スピーカ２０１から放音させて呼出報知を行うとともに、モニタ２０４、映像デコーダ２０６がそれぞれ能動（動作開始）となるように制御する。なお、親機ＣＰＵ２１０は、来訪者による第１の子機１ａからの呼び出しがある旨の文字メッセージや絵データ等をモニタ２０４に表示させることもできる。
【００３２】
第１の親機２ａのメモリ２０５は、親機フレーム組立／分解回路２０７を経由して分離されたデジタル映像信号Ｓ2を記憶、例えば、圧縮して記憶するとともに、このデジタル映像信号Ｓ2を映像デコーダ２０６に送出することにより、映像デコーダ２０６を経由してデジタル／アナログ変換されたアナログ映像信号、すなわち、第１の子機１ａのカメラ１０４にて撮像された来訪者の映像や住戸玄関の周囲近傍の映像（監視映像）が、フレーム毎にモニタ２０４に出画開始される。
【００３３】
次に、第１の親機２ａの親機スピーカ２０１から放音された所定のパターンの呼出音や音声メッセージ等、モニタ２０４に出画された映像をもとに、来訪者からの呼び出しがあることを当該来訪者の識別と併せて確認できた居住者が通話ボタン２０３を操作すると、この応答操作を検出した親機ＣＰＵ２１０にて応答信号Ｓ5が生成されるとともに、親機音声コーデック２０２が能動（動作開始）となるように制御される。
【００３４】
第１の親機２ａの親機フレーム組立／分解回路２０７は、親機ＣＰＵ２１０にて生成された応答信号Ｓ5を、伝送路Ｌ1の線路上を伝送させる所定のフレームに組み立てて下り信号（以下、応答時下り信号という。）Ｓ6を生成する。この応答時下り信号Ｓ6は、親機フレーム組立／分解回路２０７から親機送受信回路２０９、伝送路Ｌ1、第１の子機１ａの子機送受信回路１０８を経由して子機フレーム組立／分解回路１０６に伝送される。また、子機フレーム組立／分解回路１０６は、受信した応答時下り信号Ｓ6（のフレーム）から応答信号Ｓ5を分離して子機ＣＰＵ１０９に送出する。
【００３５】
第１の子機１ａの子機ＣＰＵ１０９は、子機フレーム組立／分解回路１０６を経由して分離された応答信号Ｓ5をもとに、居住者により応答操作が行われたことを検出して、子機音声コーデック１０３が能動（動作開始）となるように制御する。この制御により、来訪者が使用する子機マイク１０１から子機音声コーデック１０３、子機フレーム組立／分解回路１０６、エラー訂正符号化回路１０７、子機送受信回路１０８、伝送路Ｌ1、第１の親機２ａの親機送受信回路２０９、エラー訂正復号化回路２０８、親機フレーム組立／分解回路２０７、親機音声コーデック２０２を経由して居住者が使用する親機スピーカ２０１までの通話ライン（以下、上り通話ラインという。）と、居住者が使用する親機マイク２００から親機音声コーデック２０２、親機フレーム組立／分解回路２０７、親機送受信回路２０９、伝送路Ｌ1、第１の子機１ａの子機送受信回路１０８、子機フレーム組立／分解回路１０６、子機音声コーデック１０３を経由して来訪者が使用する子機スピーカ１０２までの通話ライン（以下、下り通話ラインという。）とがそれぞれ形成される。
【００３６】
次に、前述の上り通話ライン、下り通話ラインがそれぞれ形成されている場合において、居住者が来訪者との間で通話を成立させるにあたり、第１の親機２ａの親機マイク２００に入力した通話音声（送話音声）は、親機音声コーデック２０２を経由してデジタル音声信号（以下、下りデジタル音声信号という。）Ｓ7にアナログ／デジタル変換された後、親機フレーム組立／分解回路２０７に送出される。
【００３７】
第１の親機２ａの親機フレーム組立／分解回路２０７は、親機音声コーデック２０２からの下りデジタル音声信号Ｓ7を、伝送路Ｌ1の線路上を伝送させる所定のフレームに組み立てて下り信号（以下、通話時下り信号という。）Ｓ8を生成する。この通話時下り信号Ｓ8は、前述の応答時下り信号Ｓ6と同一の信号伝送ラインを経由して第１の子機１ａの子機フレーム組立／分解回路１０６に伝送される。
【００３８】
第１の子機１ａの子機フレーム組立／分解回路１０６は、受信した通話時下り信号Ｓ8（のフレーム）から下りデジタル音声信号Ｓ7を分離して子機音声コーデック１０３に送出する。また、子機音声コーデック１０３は、子機フレーム組立／分解回路１０６を経由して分離された下りデジタル音声信号Ｓ7をデジタル／アナログ変換して子機スピーカ１０２に送出することにより、応答操作を行った居住者の通話音声（受話音声）を子機スピーカ１０２から出力させることができる。
【００３９】
一方、来訪者が居住者との間で通話を成立させるにあたり、第１の子機１ａの子機マイク１０１に入力した通話音声（送話音声）は、子機音声コーデック１０３を経由してデジタル音声信号（以下、上りデジタル音声信号という。）Ｓ9にアナログ／デジタル変換された後、子機フレーム組立／分解回路１０６に送出される。
【００４０】
第１の子機１ａの子機フレーム組立／分解回路１０６は、子機音声コーデック１０３からの上りデジタル音声信号Ｓ9と前述の呼出操作時から継続して伝送されてくる映像エンコーダ１０５からのデジタル映像信号Ｓ2とを、伝送路Ｌ1の線路上を伝送させる所定のフレームに組み立てて上り信号（以下、通話時上り信号という。）Ｓ10を生成する。この通話時上り信号Ｓ10は、エラー訂正符号化回路１０７を経由して通話時上り符号化信号Ｓ11に符号化された後、前述の呼出時上り符号化信号Ｓ4と同一の信号伝送ラインを経由して第１の親機２ａのエラー訂正復号化回路２０８に伝送される。また、エラー訂正復号化回路２０８は、受信した通話時上り符号化信号Ｓ11を通話時上り信号Ｓ10に復号化した後、親機フレーム組立／分解回路２０７に送出するとともに、デジタル映像信号Ｓ2にノイズ等の符号誤りが混入されているか否かを検出して、検出された符号誤りの訂正が可能な場合には、その符号誤りを訂正する一方、訂正が不可能な場合には、その旨の信号Ｓ12を生成して親機ＣＰＵ２１０に送出する。
【００４１】
第１の親機２ａの親機フレーム組立／分解回路２０７は、エラー訂正復号化回路２０８を経由して復号化された所定のフレームに組み立てられている通話時上り信号Ｓ10を、上りデジタル音声信号Ｓ9とデジタル映像信号Ｓ2とにそれぞれ分離して、上りデジタル音声信号Ｓ9は親機音声コーデック２０２に、デジタル映像信号Ｓ2はメモリ２０５に送出する。
【００４２】
第１の親機２ａの親機音声コーデック１０３は、親機フレーム組立／分解回路２０７を経由して分離された上りデジタル音声信号Ｓ9をデジタル／アナログ変換して親機スピーカ２０１に送出することにより、呼出操作を行った来訪者の通話音声（受話音声）を親機スピーカ２０１から出力させることができる。
【００４３】
次に、前述のような通話が成立されている場合において、第１の親機２ａのエラー訂正復号化回路２０８にて検出されたノイズ等の符号誤りの訂正が可能な場合におけるモニタ２０４への出画動作と、同様な訂正が不可能な場合におけるモニタ２０４への出画動作とに分けて説明する。
【００４４】
第１の親機２ａのエラー訂正復号化回路２０８にて検出された符号誤りの訂正が可能な場合において、メモリ２０５は、親機フレーム組立／分解回路２０７を経由して分離されたデジタル映像信号Ｓ2を記憶、例えば、圧縮して記憶するとともに、このデジタル映像信号Ｓ2を映像デコーダ２０６に送出することにより、映像デコーダ２０６を経由してデジタル／アナログ変換されたアナログ映像信号、すなわち、第１の子機１ａのカメラ１０４にて撮像された来訪者の映像や住戸玄関の周囲近傍の映像（監視映像）が、通話時においても継続してフレーム毎にモニタ２０４に出画される。
【００４５】
一方、第１の親機２ａのエラー訂正復号化回路２０８にて検出された符号誤りの訂正が不可能な場合において、メモリ２０５は、検出された符号誤りの訂正が可能な場合と同様、デジタル映像信号Ｓ2を圧縮して記憶するが、エラー訂正復号化回路２０８からの出力信号Ｓ12を検出した親機ＣＰＵ２１０の制御により、モニタ２０４への出画は、符号誤りの検出前に出画されていたフレームの映像信号の再表示、メモリ２０５に予め保存されている所定の映像、例えば、「画像が乱れておりますので、しばらくお待ちください。」等のメッセージ画像の表示、又は映像デコーダ２０６にて生成される所定の映像、例えば、青色等の単色の表示のうち何れかの表示に切り替えられることから、画像の崩れがない良好な画質が確保されて視認性が高められる。
【００４６】
次に、来訪者との間で成立されている通話を居住者が終了させるにあたり、第２の親機２ａの通話ボタン２０３を（再度）操作すると、この終話操作を検出した親機ＣＰＵ２１０にて終話信号Ｓ13が生成されるとともに、親機音声コーデック２０２、モニタ２０４及び映像デコーダ２０６がそれぞれ非能動（動作停止）となるように制御される。
【００４７】
第１の親機２ａの親機フレーム組立／分解回路２０７は、親機ＣＰＵ２１０にて生成された終話信号Ｓ13を、伝送路Ｌ1の線路上を伝送させる所定のフレームに組み立てて下り信号（以下、終話時下り信号という。）Ｓ14を生成する。この終話時下り信号Ｓ14は、前述の応答時下り信号Ｓ6、通話時下り信号Ｓ8と同一の信号伝送ラインを経由して第１の子機１ａの子機フレーム組立／分解回路１０６に伝送される。また、子機フレーム組立／分解回路１０６は、受信した終話時下り信号Ｓ14（のフレーム）から終話信号Ｓ13を分離して子機ＣＰＵ１０９に送出する。
【００４８】
第１の子機１ａの子機ＣＰＵ１０９は、子機フレーム組立／分解回路１０６を経由して分離された終話信号Ｓ13をもとに、居住者により終話操作が行われたことを検出して、子機音声コーデック１０３、カメラ１０４及び映像エンコーダ１０５がそれぞれ非能動（動作停止）となるように制御する。ここまでの制御により、第１の子機１ａ、第１の親機２ａは、それぞれ待受状態に移行（復旧）されることになる。
【００４９】
前述までの説明から明らかなように、本発明の第１の実施例によるインターホン装置によれば、第１の子機１ａから伝送路Ｌ1を経由して第２の親機２ａに符号化伝送される映像信号（デジタル映像信号）にノイズ等の符号誤りが発生した場合において、検出された符号誤りの訂正が不可能な場合におけるモニタ２０４への出画を、符号誤りの検出前にモニタ２０４に出画させていたフレームの映像信号の再表示、又は所定の映像の表示のように切り替えて、画像の崩れがない良好な画質で確保して視認性を高めることができる。
【００５０】
なお、本発明の第１の実施例によるインターホン装置によれば、第１の子機１ａから伝送路Ｌ1を経由して第１の親機２ａに符号化伝送される映像信号（デジタル映像信号）にノイズ等の符号誤りが発生した場合におけるモニタ２０４への出画を、画像の崩れがない良好な画質で確保して視認性を高めるにあたり、検出された符号誤りの訂正が不可能であることを検出したエラー訂正復号化回路２０８からの出力信号Ｓ12を検出した親機ＣＰＵ２１０の制御を適用したが、この制御手段に限定されるものではない。
【００５１】
例えば、本発明の第２の実施例によるインターホン装置として、図２のブロック図に示すように、第２の子機１ｂから伝送路Ｌ1を経由して第２の親機２ｂに符号化伝送される映像信号（デジタル映像信号）に混入されるノイズ等の符号誤りを検出するための符号を付与するエラー検出符号化回路１１０を当該第２の子機に備え、さらには、伝送路Ｌ1を経由して第２の子機１ｂから符号化伝送されてくる映像信号（デジタル映像信号）に混入されるノイズ等の符号誤りを検出し、符号誤りを検出した場合には、その旨の信号Ｓ15を生成して親機ＣＰＵ２１０に送出するエラー検出復号化回路２１１を当該第２の親機に備えることにより、符号誤りが検出された場合におけるモニタ２０４への出画を、前述の第１の実施例と同様、符号誤りの検出前にモニタ２０４に出画させていたフレームの映像信号の再表示、又は所定の映像の表示のように切り替えて、画像の崩れがない良好な画質で確保して視認性を高めることができる。
【００５２】
また、本発明の第１、第２の各実施例によるインターホン装置によれば、第１の子機１ａ及び第１の親機２ａの接続、第２の子機１ｂ及び第２の親機２ｂの接続を、それぞれ伝送路Ｌ1を経由して有線接続させたが、この態様に限定されるものではなく、無線接続で構成することもできる。
【００５３】
本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００５４】
【図１】本発明の第１の実施例によるインターホン装置の具体的な構成を示すブロック図。
【図２】本発明の第２の実施例によるインターホン装置の具体的な構成を示すブロック図。
【符号の説明】
【００５５】
１ａ……第１の子機
１０４……カメラ
１０７……エラー訂正符号化回路
１ｂ……第２の子機
１０４……カメラ
１１０……エラー検出符号化回路
２ａ……第１の親機
２０４……モニタ
２０８……エラー訂正復号化回路
２ｂ……第２の親機
２０４……モニタ
２１１……エラー検出復号化回路
Ｌ1……伝送路
【図１】
2008011063.tif 000003
【図２】
2008011063.tif 000004